(57)【要約】【課題】読取対象物に応じて読み取り時間の増加または消費電力の増加を抑制しつつ、調整された光量で読取対象物に対して適した読み取りを行う画像読取装置、画像形成装置および画像読取方法提供することにある。【解決手段】画像読取装置１０は、読取対象物Ｍに照射された光で画像を読み取る。画像読取装置１０は、少なくともひとつの光源２１と、制御部３０とを備える。少なくともひとつの光源２１は、読取対象物Ｍに光を照射する。制御部３０は、光源２１を制御する。制御部３０は、読取対象物Ｍを照射する前に読取対象物Ｍの形状に基づいて光源２１の光量を調整する。【選択図】図１
2014236273.tif 000002
【特許請求の範囲】
【請求項１】
読取対象物に照射された光で画像を読み取る画像読取装置において、
前記読取対象物に光を照射する少なくともひとつの光源と、
前記光源を制御する制御部と
を備え、
前記制御部は、前記読取対象物に光を照射する前に前記読取対象物の形状に基づいて前記光源の光量を調整する、画像読取装置。
【請求項２】
前記読取対象物を載置する原稿台に対して開閉可能なプラテンカバーをさらに備え、
前記制御部は、前記プラテンカバーの開閉に基づいて前記光源の光量を調整する、請求項１に記載の画像読取装置。
【請求項３】
ユーザーからのモード選択を受け付ける操作部をさらに備え、
前記制御部は、前記モード選択に基づいて、前記光源の光量を調整する、請求項１または請求項２に記載の画像読取装置。
【請求項４】
前記光源は、有機エレクトロルミネッセンス素子を含む、請求項１から請求項３のいずれか１項に記載の画像読取装置。
【請求項５】
前記光源は、発光ダイオードを含む、請求項１から請求項３のいずれか１項に記載の画像読取装置。
【請求項６】
前記少なくともひとつの光源は複数の光源を含み、
前記制御部は、前記複数の光源のいくつかが部分的に点灯するように前記複数の光源を制御する、請求項１から請求項５のいずれか１項に記載の画像読取装置。
【請求項７】
前記制御部は、前記光源が全て点灯するように前記光源を制御する、請求項１から請求項５のいずれか１項に記載の画像読取装置。
【請求項８】
前記読取対象物を載置する原稿台をさらに備え、
前記少なくともひとつの光源は、第１光源と第２光源とを含み、前記第２光源から照射される光の集光位置と前記原稿台との間の距離は、前記第１光源から照射される光の集光位置と前記原稿台との間の距離と異なる、請求項１から請求項７のいずれか１項に記載の画像読取装置。
【請求項９】
請求項１から請求項８のいずれか１項に記載の画像読取装置と、
前記画像読取装置によって読み取られた画像データに基づいて画像を形成可能な画像形成部と
を備える、画像形成装置。
【請求項１０】
読取対象物に光源から照射された光で画像を読み取る画像読取装置において、
前記読取対象物を照射する前に前記読取対象物の形状に基づいて前記光源の光量を調整する工程と、
前記調整された光量で前記光源を前記読取対象物に対して相対的に移動させて前記読取対象物の画像を読み取る工程と
を包含する、画像読取方法。
【発明の詳細な説明】
【技術分野】
【０００１】
本発明は、画像読取装置、画像形成装置および画像読取方法に関する。
【背景技術】
【０００２】
画像読取装置は、光源から照射され、読取対象物（原稿）において反射された光を撮像部（ラインセンサー）で検出することによって読取対象物の画像を読み取る。このような画像読取装置は、スキャナーとしてだけでなく、複合機などの画像形成装置、複写機またはＦＡＸ装置の一部品としても用いられる。
【０００３】
光源の光量は、白基準板を読み取った白基準データの結果が所定の範囲内になるように、設定される。しかしながら、読取対象物が立体物である場合、光源の光量が適切でないため読取対象物を適切に読み取りできないことがある。そこで特許文献１には、プレスキャンの結果に基づいて光源の光量を調整している。
【先行技術文献】
【特許文献】
【０００４】
【特許文献１】特開２０１２‐３９３３２号公報
【発明の概要】
【発明が解決しようとする課題】
【０００５】
しかしながら、特許文献１の画像読取装置では、プレスキャンをしているために、読み取り時間の増加と消費電力の増加が問題になった。
【０００６】
本発明は上記課題を鑑みてなされたものであり、その目的は読取対象物に応じて読み取り時間の増加または消費電力の増加を抑制しつつ、調整された光量で読取対象物に対して適した読み取りを行う画像読取装置、画像形成装置および画像読取方法を提供することにある。
【課題を解決するための手段】
【０００７】
本発明に係る画像読取装置は、読取対象物に照射された光で画像を読み取る。前記画像読取装置は、少なくともひとつの光源と、制御部とを備える。前記少なくともひとつの光源は、前記読取対象物に光を照射する。前記制御部は、前記光源を制御する。前記制御部は、前記読取対象物に光を照射する前に前記読取対象物の形状に基づいて前記光源の光量を調整する。
【０００８】
本発明に係る画像形成装置は、上記に記載の画像読取装置と、画像形成部とを備える。前記画像形成部は、前記画像読取装置によって読み取られた画像データに基づいて画像を形成可能である。
【０００９】
本発明に係る画像読取方法は、読取対象物に照射された光で画像を読み取る画像読取装置において、前記読取対象物を照射する前に前記読取対象物の形状に基づいて光源の光量を調整する工程と、前記調整された光量で前記光源を前記読取対象物に対して相対的に移動させて前記読取対象物の画像を読み取る工程とを包含する。
【発明の効果】
【００１０】
本発明に係る画像読取装置において、制御部は、読取対象物を照射する前に読取対象物の形状に基づいて光源の光量を調整する。したがって、光源は読取対象物の形状に対応した適切な光量で読取対象物を照射することができるため、読取対象物に対して適した読み取りを行うことができる。
【図面の簡単な説明】
【００１１】
【図１】本発明の実施形態に係る画像読取装置を示す模式図である。
【図２】読取対象物が平面物である場合の画像読取装置の画像読取方法を説明する図である。
【図３】読取対象物が立体物である場合の画像読取装置の画像読取方法を説明する図である。
【図４】読取対象物が平面物で光沢がある場合の画像読取装置の画像読取方法を説明する図である。
【図５】読取対象物が光沢のある立体物である場合の画像読取装置の画像読取方法を説明する図である。
【図６】本発明の実施形態に係る画像読取装置を示す模式的な斜視図である。
【図７】読取対象物が平面物である場合の画像読取装置の画像読取方法を説明する図である。
【図８】読取対象物が立体物である場合の画像読取装置の画像読取方法を説明する図である。
【図９】読取対象物が光沢のある立体物である場合の画像読取装置の画像読取方法を説明する図である。
【図１０】本発明の実施形態に係る画像形成装置を示す模式図である。
【発明を実施するための形態】
【００１２】
以下、図面を参照して本発明に係る画像読取装置、画像形成装置および画像読取方法の実施形態を説明する。ただし、本発明は以下の実施形態に限定されない。
【００１３】
図１を参照して本発明による画像読取装置１０の実施形態を説明する。図１は、本発明の実施形態に係る画像読取装置１０を示す模式図である。
【００１４】
画像読取装置１０は、光源２１と制御部３０とを備える。画像読取装置１０は、原稿台１１とプラテンカバー１２とをさらに備える。画像読取装置１０は、原稿台１１の上に載置された読取対象物Ｍを読み取って入力画像を得る。本実施形態において、画像読取装置１０はスキャナーであり、読取対象物Ｍは紙である。読取対象物Ｍは、例えば、布や厚みのある立体物あるいは光沢物でもあり得る。プラテンカバー１２は原稿台１１に対して開閉可能である。
【００１５】
画像読取装置１０は、さらに画像読取部２０を備える。画像読取部２０は、光学系２６と撮像部２７とを備える。画像読取部２０は、原稿台１１の下方に設けられている。光学系２６は、複数の反射ミラー（反射ミラー２４ａ、反射ミラー２４ｂおよび反射ミラー２４ｃ）とレンズ２５とを有している。光源２１と反射ミラー２４ａとは、第１キャリッジ２３ａに取り付けられている。反射ミラー２４ｂと反射ミラー２４ｃとは、第２キャリッジ２３ｂに取り付けられている。
【００１６】
光源２１は、発光ダイオード（ＬＥＤ）である。光源２１から照射された光は、光学系２６を経て撮像部２７に到達する。以下、光源２１から照射された光が撮像部２７に到達する過程を説明する。主走査方向に延びた光源２１は、原稿台１１を下方から照射する。なお、ここでは主走査方向は図１の奥行方向（図示せず）であり、副走査方向はＹ方向である。光源２１から照射された光は、読取対象物Ｍで反射して、反射ミラー２４ａに到達する。反射ミラー２４ａに到達した光は反射ミラー２４ａで反射され、反射ミラー２４ｂおよび反射ミラー２４ｃによって導かれ、レンズ２５を通り撮像部２７に到達する。
【００１７】
画像読取部２０が読取対象物Ｍを読み取る場合は、第１キャリッジ２３ａは、発光している光源２１と共に副走査方向Ｙに移動する。第２キャリッジ２３ｂは、光源２１から撮像部２７までの光路長が一定になるように移動する。
【００１８】
撮像部２７は、例えば、ＣＣＤ（Ｃｈａｒａｇｅ  Ｃｏｕｐｌｅｄ  Ｄｅｖｉｃｅ）センサーである。撮像部２７は、撮像部２７に到達した光からアナログ電気信号を生成する。その後、Ａ／Ｄ変換部（図示せず）において、アナログ信号は、デジタル信号に変換される。そしてデジタル信号は制御部３０へと入力される。制御部３０は、光源２１を制御する。制御部３０は、読取対象物Ｍに光を照射する前に読取対象物Ｍの形状に基づいて光源の光量を調整する。
【００１９】
図１および図２を参照して、読取対象物Ｍが平面物である場合の画像読取装置１０の画像読取方法を説明する。図２は、読取対象物Ｍが平面物である場合の画像読取装置１０の画像読取方法を説明する図である。
【００２０】
原稿台１１には、読取対象物Ｍが載置されている。読取対象物Ｍは、平面物である。読取対象物Ｍは、例えば、紙である。画像読取装置１０が読取対象物Ｍの画像を読み取る際、光源２１を副走査方向Ｙに移動させながら、読取対象物Ｍに光を照射する。画像読取装置１０は、読取対象物Ｍで反射した光を撮像部２７に取り込む。
【００２１】
次に、図１および図３を参照して、読取対象物Ｍが立体物である場合の画像読取装置１０の画像読取方法を説明する。図３は、読取対象物Ｍが立体物である場合の画像読取装置１０の画像読取方法を説明する図である。
【００２２】
原稿台１１には、読取対象物Ｍが載置されている。読取対象物Ｍは、立体物である。読取対象物Ｍは、例えば、本である。読取対象物Ｍが立体物である場合、読取対象物Ｍが原稿台１１と密着せずある箇所が浮くことがある。特に読取対象物Ｍが本である場合は、綴じ部分（のど部）が原稿台１１と密着せずに浮く。
【００２３】
画像読取装置１０が読取対象物Ｍの画像を読み取る際、光源２１を副走査方向Ｙに移動させながら、読取対象物Ｍに光を照射する。読取対象物Ｍが立体物である場合の読取対象物Ｍの画像を読み取る際、読取対象物Ｍが平面物である場合と異なり、乱反射光の一部しか撮像部２７の方へ入射されない。したがって、撮像部２７に入射される光量は、読取対象物Ｍが平面物である場合に比べて少なくなる。このため、読取対象物Ｍが立体物である場合の読取対象物Ｍの画像を読み取る際、制御部３０は、光源２１の光量を読取対象物Ｍが平面物である場合の光量より多くする。例えば、読取対象物Ｍが平面物である場合の光量を７０％とした場合、制御部３０は、読取対象物Ｍが立体物である場合の光量を１００％になるように調整する。本明細書において、光源２１が照射可能な光量の最大値を１００％と記載する。光量の調整は、光源２１の点灯時間または光源２１の電流を調整することにより行われる。画像読取装置１０は、こうして調整された光量で光源２１が読取対象物Ｍを照射し、読取対象物Ｍで反射した光を撮像部２７に取り込む。
【００２４】
次に、図４を参照して、読取対象物Ｍが光沢のある平面物である場合の画像読取装置１０の画像読取方法を説明する。図４は、読取対象物Ｍが平面物で光沢がある場合の画像読取装置１０の画像読取方法を説明する図である。
【００２５】
原稿台１１には、読取対象物Ｍが載置されている。読取対象物Ｍは、光沢がある平面物である。読取対象物Ｍは、例えば、金属シートである。読取対象物Ｍが光沢のある平面物である場合、正反射が起こり過大な光量が撮像部２７に入射されるため、読取対象物Ｍを正しく読み取ることができないことがある。このため読取対象物Ｍが光沢のある平面物である場合の読取対象物Ｍの画像を読み取る際、制御部３０は、光源２１の光量を読取対象物Ｍが光沢のない平面物である場合の光量より少なくする。例えば、読取対象物Ｍが光沢のない平面物の場合の光量を７０％とした場合、制御部３０は、読取対象物Ｍが光沢のある平面物である場合の光量を１５％になるように調整する。画像読取装置１０は、こうして調整された光量で光源２１が読取対象物Ｍを照射し、読取対象物Ｍで反射した光を撮像部２７に取り込む。
【００２６】
次に、図５を参照して、読取対象物Ｍが光沢のある立体物である場合の画像読取装置１０の画像読取方法を説明する。図５は、読取対象物Ｍが光沢のある立体物である場合の画像読取装置１０の画像読取方法を説明する図である。
【００２７】
原稿台１１には、読取対象物Ｍが載置されている。読取対象物Ｍは、光沢のある立体物である。読取対象物Ｍは、例えば、宝石である。読取対象物Ｍが光沢のある立体物である場合、正反射が起こり過大な光量が撮像部２７に入射されるため、読取対象物Ｍを正しく読み取ることができないことがある。また、立体物であるため乱反射光の一部しか撮像部２７に入射されない。このため読取対象物Ｍが光沢のある立体物である場合の読取対象物Ｍの画像を読み取る際、制御部３０は、光源２１の光量を読取対象物Ｍが光沢のない平面物である場合の光量より少なく、かつ、光源２１の光量を読取対象物Ｍが光沢のある平面物である場合の光量より多くする。例えば、読取対象物Ｍが光沢のない平面物である場合の光量を７０％かつ読取対象物Ｍが光沢のある平面物である場合の光量を１５％とした場合、制御部３０は、読取対象物Ｍが立体物である場合の光量が２０％になるように光源２１を調整する。画像読取装置１０は、こうして調整された光量で光源２１が読取対象物Ｍを照射し、読取対象物Ｍで反射した光を撮像部２７に取り込む。
【００２８】
以上、図１〜図５を参照して説明したように、画像読取装置１０において、制御部３０は、読取対象物Ｍを照射する前に読取対象物Ｍの形状に基づいて光源２１の光量を調整する。したがって、光源２１は読取対象物Ｍの形状に対応した適切な光量で読取対象物を照射することができるため、読取対象物Ｍに対して適した読み取りを行うことができる。
【００２９】
図２〜図６を参照して本発明に係る画像読取装置１０の実施形態を説明する。図６は、本発明の実施形態に係る画像読取装置１０を示す模式的な斜視図である。画像読取装置１０は、光源２１と撮像部２７と制御部３０とプラテンカバー１２（図１等参照）に加えて操作部５０をさらに備える。
【００３０】
プラテンカバー１２は原稿台１１に対して開閉可能である。画像読取装置１０において、制御部３０は、プラテンカバー１２の開閉に基づいて、光源２１の光量を調整する。プラテンカバー１２の開閉は、画像読取装置１０が備えるセンサー（図示せず）が検知する。
【００３１】
例えば、図２に示す様に、読取対象物Ｍが平面物である場合は、センサーはプラテンカバー１２が閉まっていると検知する。そして、制御部３０は、光源２１の光量が７０％となるように光源２１を調整する。
【００３２】
一方、図３に示す様に、読取対象物Ｍが立体物である場合は、センサーはプラテンカバー１２が開いていると検知する。そして、制御部３０は、光源２１の光量が１００％となるように光源２１を調整する。
【００３３】
操作部５０は、タッチパネル５１とテンキーおよびスタートボタンなどを含む操作ボタン５２とを有する。タッチパネル５１または操作ボタン５２によって、ユーザーはモード選択をすることができる。ユーザーは、例えば、読み取りモード選択をすることができる。操作部５０は、ユーザーからのモード選択を受け付ける。制御部３０は、モード選択に基づいて、光源２１の光量を調整する。
【００３４】
例えば、ユーザーは平面物モード、立体物モード、光沢平面物モードおよび光沢立体物モードのうちの１つのモードを操作部５０によって選択する。平面物モードが選択された場合には、制御部３０は光源２１の光量を７０％に調整し、立体物モードが選択された場合には、制御部３０は光源２１の光量を１００％に調整し、光沢平面物モードが選択された場合には、制御部３０は光源２１の光量を１５％に調整し、光沢立体物モードが選択された場合には、制御部３０は光源２１の光量を２０％に調整する。
【００３５】
図２〜図６を参照して説明したように、画像読取装置１０において、制御部３０は、プラテンカバー１２の開閉に基づいて光源２１の光量を調整する。したがって、ユーザーが指定することなく読取対象物Ｍが立体物であるか否かに応じて制御部３０は光源２１の光量を最適に調整する。
【００３６】
また、制御部３０は、ユーザーからのモード選択に基づいて複数の光源２１を点灯制御する。したがって、ユーザーが読取対象物Ｍに応じた設定をすることができ、制御部３０は、光源２１の光量を最適に調整する。
【００３７】
なお、プラテンカバー１２の開閉とユーザーのモード選択の組み合わせに基づいて、制御部３０が光源２１の光量を調整するようにしてもよい。例えば、プラテンカバー１２の開閉に基づき平面物であるか立体物であるかを検知し、ユーザーのモード選択により光沢物であるか否かを検知して、制御部３０が光源２１の光量を調整するようにしてもよい。
【００３８】
図１〜図６を参照して上述した画像読取装置１０において、制御部３０は、読取対象物Ｍを照射する前に読取対象物Ｍの形状に基づいて、光源２１の光量を調整していたが、制御部３０は、さらに読取対象物Ｍの形状に基づいて、光源２１の照射する位置を変更するようにしてもよい。図７〜図９を参照して、画像読取装置１０において、光源２１の照射する位置を変更する実施形態を説明する。
【００３９】
図７を参照して、読取対象物Ｍが平面物である場合の画像読取装置１０の画像読取方法を説明する。図７は、読取対象物Ｍが平面物である場合の画像読取装置１０の画像読取方法を説明する図である。
【００４０】
原稿台１１には、読取対象物Ｍが載置されている。読取対象物Ｍは、平面物である。読取対象物Ｍは、例えば、紙である。光源２１は、有機エレクトロルミネッセンス素子（以下、有機ＥＬ素子と記載する。）である。有機ＥＬ素子は湾曲させることができるので、光源２１が照射する位置を容易に変更することができる。光源２１は、第１光源２１ａ、第２光源２１ｂ、第３光源２１ｃおよび第４光源２１ｄを有している。第１光源２１ａから照射された光が集光位置Ｑ１に集光するように、第１光源２１ａは配置されている。集光位置Ｑ１は、原稿台１１の上面に位置する。集光位置Ｑ１と原稿台１１との間の距離は、０に近い。本実施形態において、第１光源２１ａと第４光源２１ｄとは集光位置Ｑ１に集光する。
【００４１】
第１光源２１ａは、主走査方向に沿って見た場合、第１光源２１ａが全体から照射される光が同じ位置（集光位置Ｑ１）に集光するようにあらかじめ湾曲されている。第２光源２１ｂは、第２光源２１ｂ全体から照射された光が同じ位置（集光位置Ｑ２）に集光するようにあらかじめ湾曲されている。
【００４２】
複数の光源２１の照射可能な光量の最大値は、第１光源２１ａ、第２光源２１ｂ、第３光源２１ｃおよび第４光源２１ｄでそれぞれ等しい。本明細書において、第１光源２１ａ、第２光源２１ｂ、第３光源２１ｃおよび第４光源２１ｄのそれぞれが照射可能な光量の最大値を１００％と記載する。制御部３０は、複数の光源２１のうち第１光源２１ａと第４光源２１ｄとの光量をそれぞれ調整する。例えば、第１光源２１ａと第４光源２１ｄとの光量は７０％である。
【００４３】
第１光源２１ａは、主走査方向に沿って見た場合、第１光源２１ａが全体から照射される光が同じ位置（集光位置Ｑ１）に集光するようにあらかじめ湾曲されている。第２光源２１ｂは、第２光源２１ｂ全体から照射された光が同じ位置（集光位置Ｑ２）に集光するようにあらかじめ湾曲されている。制御部３０は、複数の光源２１のうち集光位置Ｑ１に光を集光する第１光源２１ａと第４光源２１ｄとを点灯するように制御する。第２光源２１ｂと第３光源２１ｃとは、消灯している。画像読取装置１０が読取対象物Ｍの画像を読み取る際、光源２１を副走査方向Ｙに移動させながら、集光位置Ｑ１に光を集光する第１光源２１ａと第４光源２１ｄとから読取対象物Ｍに光を照射する。画像読取装置１０が読取対象物Ｍの画像を読み取る際、光源２１の副走査方向Ｙへの移動に伴い、集光位置Ｑ１は副走査方向Ｙへ移動していく。画像読取装置１０が読取対象物Ｍの画像を読み取る際、集光位置Ｑ１と原稿台１１との間の距離は一定である。画像読取装置１０では、第１光源２１ａと第４光源２１ｄとから集光位置Ｑ１をめがけて照射された光は読取対象物Ｍで反射する。画像読取装置１０は、読取対象物Ｍで反射した光を撮像部２７に取り込む。
【００４４】
次に、図８を参照して、読取対象物Ｍが立体物である場合の画像読取装置１０の画像読取方法を説明する。図８は、読取対象物Ｍが立体物である場合の画像読取装置１０の画像読取方法を説明する図である。
【００４５】
光源２１は、有機ＥＬ素子である。原稿台１１には、読取対象物Ｍが載置されている。読取対象物Ｍは、立体物である。読取対象物Ｍは、例えば、本である。光源２１は、第１光源２１ａ、第２光源２１ｂ、第３光源２１ｃおよび第４光源２１ｄを有している。読取対象物Ｍが立体物である場合、読取対象物Ｍが原稿台１１と密着せずある箇所が浮くことがある。特に読取対象物Ｍが本である場合は、綴じ部分（のど部）が原稿台１１と密着せずに浮くことがある。画像読取装置１０において、読取対象物Ｍの原稿台１１から浮いている箇所に光が当たるように光源２１は配置されている。
【００４６】
第２光源２１ｂから照射された光が集光位置Ｑ２に集光するように、第２光源２１ｂは配置されている。集光位置Ｑ２は、原稿台１１の上方に位置する。集光位置Ｑ２と原稿台１１とは距離ｄの間隔があいている。本実施形態において、第２光源２１ｂと第３光源２１ｃとは集光位置Ｑ２に集光する。
【００４７】
制御部３０は、複数の光源２１のうち第２光源２１ｂと第３光源２１ｃとの光量をそれぞれ調整する。例えば、第２光源２１ｂと第３光源２１ｃとの光量は１００％である。
【００４８】
制御部３０は、複数の光源２１のうち集光位置Ｑ２に光を集光する第２光源２１ｂと第３光源２１ｃとを点灯するように制御する。第１光源２１ａと第４光源２１ｄとは、消灯している。画像読取装置１０が読取対象物Ｍの画像を読み取る際、光源２１を副走査方向Ｙに移動させながら、集光位置Ｑ２に光を集光する第２光源２１ｂと第３光源２１ｃとから読取対象物Ｍに光を照射する。画像読取装置１０が読取対象物Ｍの画像を読み取る際、光源２１の副走査方向Ｙへの移動に伴い、集光位置Ｑ２は副走査方向Ｙへ移動していく。画像読取装置１０が読取対象物Ｍの画像を読み取る際、集光位置Ｑ２と原稿台１１との間の距離は一定である。画像読取装置１０では、第２光源２１ｂと第３光源２１ｃとから集光位置Ｑ２をめがけて照射された光は読取対象物Ｍで反射する。画像読取装置１０は、読取対象物Ｍで反射した光を撮像部２７に取り込む。
【００４９】
次に、図９を参照して、読取対象物Ｍが光沢のある立体物である場合の画像読取装置１０の画像読取方法を説明する。図９は、読取対象物Ｍが光沢のある立体物である場合の画像読取装置１０の画像読取方法を説明する図である。
【００５０】
原稿台１１には、読取対象物Ｍが載置されている。読取対象物Ｍは、光沢のある立体物である。読取対象物Ｍは、例えば、宝石である。光源２１は、第１光源２１ａ、第２光源２１ｂ、第３光源２１ｃおよび第４光源２１ｄを有している。読取対象物Ｍが光沢のある立体物である場合、正反射が起こり過大な光量が撮像部２７に入射されるため、読取対象物Ｍを正しく読み取ることができない。
【００５１】
第１光源２１ａは、集光位置Ｑ１に集光するように配置されている。第２光源２１ｂは、集光位置Ｑ２に集光するように配置されている。本実施形態において、第１光源２１ａと第４光源２１ｄとは集光位置Ｑ１に集光し、第２光源２１ｂと第３光源２１ｃとは集光位置Ｑ２に集光する。第１光源２１ａの集光位置Ｑ１と第２光源２１ｂの集光位置Ｑ２とが異なるため、光が一点に集光しない。その結果、正反射が起こったとしても過大な光量が撮像部２７に入射されることを低減している。
【００５２】
制御部３０は、複数の光源２１（第１光源２１ａ、第２光源２１ｂ、第３光源２１ｃおよび第４光源２１ｄ）の光量をそれぞれ調整する。例えば、複数の光源２１（第１光源２１ａ、第２光源２１ｂ、第３光源２１ｃおよび第４光源２１ｄ）の光量は２０％である。
【００５３】
制御部３０は、複数の光源２１（第１光源２１ａ、第２光源２１ｂ、第３光源２１ｃおよび第４光源２１ｄ）が全て点灯するように制御する。画像読取装置１０は、読取対象物Ｍで反射した光を撮像部２７に取り込む。
【００５４】
以上、図７〜図９を参照して説明したように、画像読取装置１０において、複数の光源２１は第１光源２１ａと第２光源２１ｂとを含み、第２光源２１ｂから照射される光の集光位置Ｑ２と原稿台１１との間の距離ｄは、第１光源２１ａから照射される光の集光位置Ｑ１と原稿台１１との間の距離ｄと異なる。したがって、モーターなどのメカ的構成を別途設けることなく、光源２１は読取対象物Ｍの形状に対応した適切な位置を照射することができるため、読取対象物Ｍに対して適した読み取りを行うことができる。
【００５５】
なお、画像読取装置１０において、複数の光源２１の照射可能な光量の最大値は、第１光源２１ａ、第２光源２１ｂ、第３光源２１ｃおよび第４光源２１ｄでそれぞれ等しかったが、第１光源２１ａ、第２光源２１ｂ、第３光源２１ｃおよび第４光源２１ｄの照射可能な光量の最大値が異なってもよい。
【００５６】
また、制御部３０は、複数の光源２１が部分的に点灯するように制御する。したがって、読取対象物Ｍの形状に対応した適切な位置を照射することができるため、読取対象物Ｍに対して適した読み取りことができる。
【００５７】
また、制御部３０は、複数の光源２１が全て点灯するように制御する。したがって、読取対象物Ｍに対して一部に集光することを低減することができるため、光源２１から照射した光に正反射が起こったとしても過大な光量が撮像部２７に入射されることを低減している。
【００５８】
図１０を参照して、本発明に係る画像形成装置１００の実施形態を説明する。図１０は、本発明の実施形態に係る画像形成装置１００を示す模式図である。画像形成装置１００は、複写機、プリンター、ファクシミリ又はこれらの機能を兼ね備えた複合機であり得る。以下、複写機を用いて説明するが、本発明はこれに限定されない。画像形成装置１００は、画像読取装置１０と画像形成部６０とを備える。画像形成部６０は、定着装置１１０、給紙カセット１２０、作像部１３０、トナー補給装置１４０、用紙排出部１５０および用紙搬送部１６０を有している。画像形成部６０は、画像読取装置１０によって読み取られた画像データに基づいて画像を形成する。
【００５９】
給紙カセット１２０には、印刷用の用紙Ｐが収容されている。印刷を行う際、給紙カセット１２０内の用紙Ｐは、作像部１３０と定着装置１１０とを経由して用紙排出部１５０から排出されるように、用紙搬送部１６０によって搬送される。
【００６０】
作像部１３０では、トナー像を用紙Ｐに形成する。作像部１３０には、感光体１３１と現像装置１３２と転写装置１３３とが含まれている。
【００６１】
感光体１３１には、例えば、画像読取装置１０で生成された原稿画像の電子信号に基づいたレーザーによって静電潜像が形成される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００６２】
転写装置１３３は、感光体１３１に形成されたトナー像を用紙Ｐに転写する。
【００６３】
定着装置１１０では、定着部材１１１と加圧部材１１２とによって用紙Ｐを加熱及び加圧することで、作像部１３０において形成された未定着のトナー像を溶融させて用紙Ｐに定着させる。
【産業上の利用可能性】
【００６４】
本発明に係る画像読取装置は立体物の読み取りが必要な画像読取装置に好適に用いられる。
【符号の説明】
【００６５】
Ｍ          読取対象物
Ｐ          用紙
Ｑ１、Ｑ２  集光位置
Ｙ          副走査方向
１０        画像読取装置
１１        原稿台
１２        プラテンカバー
２０        画像読取部
２１        光源
２１ａ      第１光源
２１ｂ      第２光源
２１ｃ      第３光源
２１ｄ      第４光源
２３ａ      第１キャリッジ
２３ｂ      第２キャリッジ
２４ａ、２４ｂ、２４ｃ  反射ミラー
２５        レンズ
２６        光学系
２７        撮像部
３０        制御部
５０        操作部
５１        タッチパネル
５２        操作ボタン
６０        画像形成部
１００      画像形成装置
１１０      定着装置
１１１      定着部材
１１２      加圧部材
１２０      給紙カセット
１３０      作像部
１３１      感光体
１３２      現像装置
１３３      転写装置
１４０      トナー補給装置
１５０      用紙排出部
１６０      用紙搬送部
【図１】
2014236273.tif 000003
【図２】
2014236273.tif 000004
【図３】
2014236273.tif 000005
【図４】
2014236273.tif 000006
【図５】
2014236273.tif 000007
【図６】
2014236273.tif 000008
【図７】
2014236273.tif 000009
【図８】
2014236273.tif 000010
【図９】
2014236273.tif 000011
【図１０】
2014236273.tif 000012